(57)【要約】【課題】所要高さに調整が可能であると共にコンパクトに折り畳み可能で、ベランダの手摺りを利用して安定よく簡単に固定できるエアコン室外機の仮設置架台を提供する。【解決手段】エアコン室外機Ｏを載置する水平台枠２と、水平台枠２の一端側に連結される長さ調整可能なベランダ床側の脚体３と、水平台枠２の他端側に連結される長さ調整可能なベランダ手摺り側の脚体４とからなり、手摺り側脚体４の下端には、手摺りＣの頂部Ｃｏを掴んだ状態でその頂部に固定可能な掴み固定金具５が取り付けられ、ベランダ床側脚体３及び手摺り側脚体４は、夫々連結金具６，７を介して水平台枠２に対し折り畳み可能で且つ直角に固定可能に連結されている。【選択図】図１
2010175112.tif 000002
【特許請求の範囲】
【請求項１】
エアコン室外機を載置する水平台枠と、水平台枠の一端側に連結される長さ調整可能なベランダ床側の脚体と、水平台枠の他端側に連結される長さ調整可能なベランダ手摺り側の脚体とからなり、手摺り側脚体の下端には、手摺りの頂部を掴んだ状態でその頂部に固定可能な掴み固定金具が取り付けられ、ベランダ床側脚体及び手摺り側脚体は、夫々連結金具を介して水平台枠に対し折り畳み可能で且つ直角に固定可能に連結されてなるエアコン室外機の仮設置架台。
【請求項２】
掴み固定金具は、上板部と両端板部とからなる下向きコ字状の金具本体と、金具本体の一方の端板部に螺通される締付用螺軸と、この螺軸の先端部に取り付けた押え片とからなるもので、金具本体を手摺りの頂部に跨嵌させて締付用螺軸を回転させることにより、金具本体を手摺り頂部に固定するようにしてなる請求項１に記載のエアコン室外機の仮設置架台。
【請求項３】
各連結金具は、各脚体の上端部に固定される固定基板と、支軸部の先端から連結軸部を直角に突設すると共にその先端から係止軸部を支軸部と平行に突設してなるロックピンとからなり、脚体に固定した固定基板には、水平台枠の端部を枢着し且つロックピンの支軸部をその軸芯回りに回転自在に挿着すると共に、この支軸部と固定基板との間に支軸部を基端側方向に付勢するバネを介装し、ロックピンの係止軸部を固定基板と水平台枠とにわたって設けた脚体固定用ピン孔に差し込むことにより、脚体を水平台枠に対し直角に固定し、支軸部をバネ付勢力に抗し先端側方向へ引張して、係止軸部を脚体固定用ピン孔から抜くことにより、脚体を水平台枠に対し折り畳み可能となるようにした請求項１又は２に記載のエアコン室外機の仮設置架台。
【請求項４】
ロックピンの係止軸部を水平台枠に設けた折り畳み固定用ピン孔に差し込むことにより、脚体を水平台枠に対し折り畳んだ状態に固定するようにしてなる請求項３に記載のエアコン室外機の仮設置架台。
【請求項５】
水平台枠のベランダ床側脚体が連結される側の端部に、延長台枠を水平台枠と面一状に着脱自在に取り付けるようにした請求項１〜４の何れかに記載のエアコン室外機の仮設置架台。
【発明の詳細な説明】
【技術分野】
【０００１】
本発明は、マンション等の集合住宅の大規模修繕工事やリフォームを行う際にベランダに設置されているエアコン室外機を一時的に仮設置するのに使用されるエアコン室外機の仮設置架台に関する。
【背景技術】
【０００２】
マンションやアパート等の集合住宅の大規模修繕工事を行う際には、通常、ベランダ内の躯体外壁に取り付けられているエアコンの室外機は、そのままでは外壁工事が行えないため取り外す必要があるが、外壁の高いところに設置されている場合、ベランダの床まで降ろすと、配管ダクトも取り外さなければならず非常に面倒になることから、従来では、例えば、ベランダの天井部にフック付きアンカーボルトを打ち込み、このアンカーボルトのフックを利用して室外機を天井部から吊り下げるようにしたり、あるいは躯体外壁の室外機取付高さにほぼ相当する高さの室外機仮設置用架台を設けて、これに設置するようにしている。
【発明の概要】
【発明が解決しようとする課題】
【０００３】
上記アンカーボルトを利用して室外機を天井部から吊り下げる方法では、ボルトの打ち込み作業に非常な手間がかかってコストが高くつき、また上記室外機仮設置用架台では、折り畳みができないため、高さが高く嵩張る上に、持ち運びが不便で、特にベランダへの搬入に困難を来すといった問題があった。
【０００４】
本発明は、上記の事情に鑑み、所要高さに調整が可能であると共にコンパクトに折り畳み可能で、ベランダの手摺りを利用してエアコン室外機を安定良く簡便に設置できるエアコン室外機の仮設置架台を提供することを目的としている。
【課題を解決するための手段】
【０００５】
上記課題を解決するための手段を、後述する実施形態の参照符号を付して説明すると、請求項１に係る発明のエアコン室外機の仮設置架台は、エアコン室外機Ｏを載置する水平台枠２と、水平台枠２の一端側に連結される長さ調整可能なベランダ床側の脚体３と、水平台枠２の他端側に連結される長さ調整可能なベランダ手摺り側の脚体４とからなり、手摺り側脚体４の下端には、手摺りＣの頂部Ｃｏを掴んだ状態でその頂部に固定可能な掴み固定金具５が取り付けられ、ベランダ床側脚体３及び手摺り側脚体４は、夫々連結金具６，７を介して水平台枠２に対し折り畳み可能で且つ直角に固定可能に連結されてなることを特徴とする。
【０００６】
請求項２は、請求項１に記載のエアコン室外機の仮設置架台において、掴み固定金具５は、上板部８ａと両端板部８ｂ，８ｂとからなる下向きコ字状の金具本体８と、金具本体８の一方の端板部８ｂに螺通される締付用螺軸９と、この螺軸９の先端部に取り付けた押え片１０とからなるもので、金具本体８を手摺りＣの頂部Ｃｏに跨嵌させて締付用螺軸９を回転させることにより、金具本体８を手摺り頂部Ｃｏに固定するようにしてなることを特徴とする。
【０００７】
請求項３は、請求項１又は２に記載のエアコン室外機の仮設置架台において、各連結金具６，７は、各脚体３，４の上端部に固定される固定基板３６，３７と、支軸部ａの先端から連結軸部ｂを直角に突設すると共にその先端から係止軸部ｃを支軸部ａと平行に突設してなるロックピン３８とからなり、脚体３，４に固定した固定基板３６，３７には、水平台枠２の端部を枢着し且つロックピン３８の支軸部ａをその軸芯回りに回転自在に挿着すると共に、この支軸部ａと固定基板３６，３７との間に支軸部ａを基端側方向に付勢するバネ４０を介装し、ロックピン３８の係止軸部ｃを固定基板３６，３７と水平台枠２とにわたって設けた脚体固定用ピン孔４１，４２に差し込むことにより、脚体３，４を水平台枠２に対し直角に固定し、支軸部ａをバネ付勢力に抗し先端側方向へ引張して、係止軸部ｃを脚体固定用ピン孔４１，４２から抜くことにより、脚体３，４を水平台枠２に対し折り畳み可能となるようにしたことを特徴とする。
【０００８】
請求項４は、請求項３に記載のエアコン室外機の仮設置架台において、ロックピン３８の係止軸部ｃを水平台枠２に設けた折り畳み固定用ピン孔４３，４５に差し込むことにより、脚体３，４を水平台枠２に対し折り畳んだ状態に固定するようにしてなることを特徴とする。
ことを特徴とする。
【０００９】
請求項５は、請求項１〜４の何れかに記載のエアコン室外機の仮設置架台において、水平台枠２のベランダ床側脚体３が連結される側の端部に、延長台枠５０を水平台枠２と面一状に着脱自在に取り付けるようにしたことを特徴とする。
【発明の効果】
【００１０】
上記解決手段による発明の効果を、後述する実施形態の参照符号を付して説明すると、請求項１に係る発明の仮設置架台は、エアコン室外機Ｏを載置する水平台枠２と、水平台枠２の一端側に連結される長さ調整可能なベランダ床側の脚体３と、水平台枠２の他端側に連結される長さ調整可能なベランダ手摺り側の脚体４とからなるもので、手摺り側脚体４の下端には手摺りＣの頂部Ｃｏを掴んだ状態でその頂部に固定可能な掴み固定金具５が取り付けられ、ベランダ床側脚体３及び手摺り側脚体４は、夫々連結金具６，７を介して水平台枠２に対し折り畳み可能で且つ直角に固定可能に連結されているから、使用しない時は、ベランダ床側脚体３及び手摺り側脚体４を水平台枠２に対して折り畳んでおくことにより、保管、梱包、搬送が容易であると共に、作業現場への搬入が容易となる。また、ベランダでの使用に際しては、ベランダ床側脚体３及び手摺り側脚体４は夫々長さ調整可能であるため、水平台枠２を所要高さに設定することができ、また手摺り側脚体４の下端側にある掴み固定金具５を手摺りＣの頂部Ｃｏに固定させることによって、仮設置架台の全体をベランダの所定位置に安定状態に簡単に固定させることができる。
【００１１】
請求項２に係る発明によれば、掴み固定金具５は、上板部８ａと両端板部８ｂ，８ｂとからなる下向きコ字状の金具本体８と、金具本体８の一方の端板部８ｂに螺通される締付用螺軸９と、この螺軸９の先端部に取り付けた押え片１０とからなるもので、金具本体８を手摺り頂部Ｃｏに跨嵌させて螺軸９を回転させることにより、金具本体８を手摺り頂部Ｃｏに簡単容易に固定することができる。
【００１２】
請求項３に記載のような連結金具６，７の構成によれば、ベランダ床側脚体３及び手摺り側脚体４が水平台枠２の上下面に折り重なるようにして仮設置架台を小さくコンパクトに折り畳むことができる。
【００１３】
請求項４に係る発明によれば、ベランダ床側脚体３及び手摺り側脚体４を水平台枠２に対し折り畳んだ状態に固定できるから、搬送が容易で、持ち運びに便利となる。
【００１４】
請求項５に係る発明によると、例えばベランダ床の奥行き幅がかなり広い場合は、延長台枠５０を取り付けることによって、この延長台枠５０を、建物外壁Ｄに設置されている既設の室外機設置台Ｅに近接させることができ、これによって既設の室外機設置台Ｅから室外機仮設置架台１へ、また室外機仮設置架台１から既設室外機設置台Ｅへのエアコン室外機Ｏの移載作業を容易且つ安全に行うことができる。
【図面の簡単な説明】
【００１５】
【図１】(a) は本発明の一実施形態によるエアコン室外機の仮設置架台を示す正面図、(b) は平面図である。
【図２】(a) は図１の(a) に示す仮設置架台の左側面図、(b) は右側面図である。
【図３】(a) は水平台枠とベランダ床側脚体及び手摺り側脚体とを連結する連結金具を示すもので、両脚体が水平台枠に対し夫々直角に固定された状態を示し、(b) は両脚体が水平台枠に対し夫々折り畳まれたれた状態を示し、(c) は(a) の右側面図である。
【図４】(a) 〜(f) は仮設置架台をその使用状態から順次折り畳む過程を示す説明図、(e) は図１の(b) の矢印Ｖ部分の拡大図、(f) は(e) のＷ−Ｗ線断面図である。
【図５】(a) は掴み固定金具を示す拡大正面図、(b) はその側面図である。
【図６】(a) ベランダ床側脚体のロック手段を示す正面図であり、(b) は側面図であり、(c) は(a) のＸ−Ｘ線断面図である。
【図７】(a) は本発明の他の実施形態によるエアコン室外機の仮設置架台を示す正面図、(b) は平面図である。
【図８】(a) は図７の(b) の矢印Ｙで示す部分の拡大図である。
【図９】(a) は延長台枠の取付方法を示す延長台枠取付部分の正面図、(b) はその部分の側面図、(c) は図８のＺ−Ｚ線拡大断面図である。
【図１０】(a) は水平台枠の平面図、(b) は正面図、(c) は同水平台枠の右側面図、(d) は(d) は延長台枠が取り付けられる水平台枠を下方より見た底面図で、図１の(a) のＱ−Ｑ線に沿って断面したような図面である。
【発明を実施するための形態】
【００１６】
以下に本発明の好適な一実施形態を図面に基づいて説明すると、図１の(a) は本発明に係るエアコン室外機の仮設置架台を示す正面図、(b) は平面図であり、図２の(a) は図１の(a) に示す仮設置架台の左側面図、(b) は右側面図である。図１において、Ａはマンションのベランダの床、Ｂはベランダの天井を示し、Ｃはベランダの手摺りで、例えばコンクリート製の手摺りを示す。Ｄはベランダ内に面する建物外壁を示し、Ｅはエアコン室外機Ｏを建物外壁Ｄに設置するための既設の室外機設置台を示す。尚、この実施形態では、コンクリート製の手摺りを例示しているが、手摺りとしては、金属柵タイプの手摺りでもよいし、コンクリート製手摺りと金属柵手摺りが併用された手摺りでもよい。
【００１７】
ここに示す仮設置架台１は、マンションの大規模修繕工事を行う際にベランダの建物外壁Ｄにエアコン室外機Ｏを設置したままでは建物外壁Ｄの補修工事ができないため、既設の室外機設置台Ｅからエアコン室外機Ｏを取り外して一時的に仮設置するためのもので、エアコン室外機Ｏを載置する水平台枠２と、この水平台枠２の一端側に連結される長さ調整可能なベランダ床Ａ側の脚体３と、水平台枠２の他端側に連結される長さ調整可能なベランダ手摺りＣ側の脚体４とからなり、手摺り側脚体４の下端には、手摺りＣの頂部Ｃａを掴んだ状態でその頂部に固定可能な掴み固定金具５が取り付けられ、そしてベランダ床側脚体３及び手摺り側脚体４は、夫々連結金具６，７を介して水平台枠２に対し折り畳み可能で且つ直角に固定可能に連結されている。金属柵タイプの手摺りの場合には、断面形状が矩形や円形の手摺り笠木が手摺り頂部Ｃａに対応する。
【００１８】
水平台枠２は、図１の(b) に示すように、夫々角パイプ製の一対の水平縦杆２ａ，２ａと両水平縦杆２ａ，２ａの両端部側をつなぐを横杆２ｂ，２ｂとによって矩形枠状に枠組み形成されている。
【００１９】
ベランダ床側脚体３は、固定脚１１とこれの下端側に伸縮可能に連結される伸縮脚１２とからなり、伸縮脚１２は固定脚１１に対し所要の伸縮位置でロック手段１３により固定されるようになっている。また手摺り側脚体４は、固定脚１４とこれの下端側に伸縮可能に連結される伸縮脚１５とからなり、伸縮脚１５は固定脚１４に対し所要の伸縮位置でロック手段１６により固定されるようになっている。
【００２０】
ベランダ床側脚体３の固定脚１１は、図２の(a) に示すように、夫々角パイプ製の一対の柱材１７，１７と、両柱材１７，１７どうしをつなぐつ上部横材１８及び下部横材１９とからなり、各柱材１７と下部横材１９とのコーナーには補強材２０が介装されている。伸縮脚１２は左右一対の伸縮杆２１，２１と下横杆２２とからなり、両伸縮杆２１，２１が固定脚１１の両柱材１７，１７内に嵌挿されている。
【００２１】
ベランダ床側脚体３のロック手段１３は、図６の(a) ，(b) に示すように、柱材１７の内側面下端部に取り付けたブラケット２３からロックレバー２４を柱材１７に挿通すると共に、ブラケット２３とロックレバー２４に取り付けたストッパー２７との間に介装したコイルバネ２５の付勢力によってレバー先端部２４ｏを、伸縮脚１２の伸縮杆２１にその長手方向一定ピッチで設けた複数の孔２６の何れかに挿入することにより、伸縮脚１２を所要伸縮位置でロックするようになっている。
【００２２】
またこのレバー２４によるロックを解除する時は、バネ２５の付勢力に抗してレバー２４を手前側に引っ張ってレバー先端部２４ｏを伸縮杆２１の孔２６から抜いてロック解除した後、図６の(b) 及び(c) に示すように、レバー２４を９０度回転させることにより、ストッパー２７を、図６の(c) の仮想線図示のようにブラケット２３内の支持壁２３ａ，２３ａに係止させてレバー２４を保持し、このレバー２４の保持後、伸縮脚１２の高さ調整を行う。
【００２３】
手摺り側脚体４の固定脚１４は、図２の(b) に示すように、夫々角パイプ製の一対の柱材２８，２８と、両柱材２８，２８どうしをつなぐつ上部横材２９及び下部横材３０とからなり、各柱材２８と下部横材３０とのコーナーには補強材３１が介装されている。伸縮脚１５は両側一対の伸縮杆３２，３２からなるもので、両伸縮杆３２，３２が固定脚１４の両柱材２８，２８内に嵌挿されている。ロック手段１６については、図６により説明したベランダ床側脚体３のロック手段１３と全く同じで構造であるため、説明を省略する。尚、図５の(a) には、伸縮脚１５の伸縮杆３２に設けた孔（ロックレバー２４の先端部２４ｏが挿入する孔）を２６で示す。
【００２４】
手摺り側脚体４の下端部、即ち伸縮脚１５を形成する両伸縮杆３２，３２の夫々下端部に取り付けられた掴み固定金具５は、図５の(a) ，(b) に示すように、上板部８ａと両端板部８ｂ，８ｂとからなる下向きコ字状の金具本体８と、この金具本体８の一方の端板部８ｂに螺通される締付用螺軸９と、この螺軸９の先端部に取り付けられたカップ状の押え片１０とからなるもので、締付用螺軸９の基端部にはノブ３３が取り付けてあって、コ字状の金具本体８を手摺りＣの頂部Ｃｏに跨嵌させた状態で、ノブ３３を介して締付用螺軸９を回転させることにより、金具本体８を手摺り頂部Ｃｏに固定することができる。
【００２５】
上記掴み固定金具５の金具本体８には、図５の(a) に仮想線で示すように、上板部８ａ及び端板部８ｂの夫々内側面にゴムシート３４を貼着しておくことにより、金具本体８を手摺り頂部Ｃｏに安定良く取り付け固定することができると共に、手摺り頂部Ｃｏを傷つけることがない。
【００２６】
次に、ベランダ床側脚体３及び手摺り側脚体４を水平台枠２に対し折り畳み可能で且つ直角に固定可能に連結する連結金具６，７について図３の(a) ，(b) ，(c) を参照しながら説明する。
【００２７】
先ず、ベランダ床側脚体３を水平台枠２の一端部に連結する連結金具６は、図３の(a) の左半分に示すように、固定脚１１の柱材１７の上端部に固定される固定基板３６と、支軸部ａの先端から連結軸部ｂを直角に突設すると共にその先端から係止軸部ｃを支軸部ａと平行に突設してなるロックピン３８（図３の(c) 参照）とからなるもので、固定脚１１の柱材１７に固定した固定基板３６には、水平台枠２の端部を枢軸３９によって枢着し且つロックピン３８の支軸部ａをその軸芯回りに回転自在に挿着すると共に、この支軸部ａと固定基板３６との間に支軸部ａを基端側方向に付勢するコイルバネ４０を介装し、しかしてロックピン３８の係止軸部ｃを固定基板３６と水平台枠２の水平縦杆２ａとにわたって設けた脚体固定用ピン孔４１，４２に差し込むことにより、図３の(a) の左側に示すようにベランダ床側脚体３を水平台枠２に対して直角に固定することができる。
【００２８】
また、ロックピン３８の支軸部ａをバネ４０の付勢力に抗して先端側方向へ引張して、その係止軸部ｃを脚体固定用ピン孔４１，４２から引き抜くことにより、ベランダ床側脚体３が水平台枠２に対し折り畳み可能となり、しかして図３の(a) の左側に示す状態からベランダ床側脚体３を図中の矢印で示すような反時計回り方向に旋回させることにより、ベランダ床側脚体３を水平台枠２の上面側に折り畳むことができる。そして、この状態でロックピン３８の係止軸部ｃを水平台枠２の水平縦杆２ａに設けた折り畳み固定用ピン孔４３に差し込むことによって、図３の(b) の左側に示すようにベランダ床側脚体３を水平台枠２に対し折り畳んだ状態で固定することができる。
【００２９】
一方、手摺り側脚体４を水平台枠２の他端部に連結する連結金具７は、図３の(a) の右半分に示すように、固定脚１４の柱材２８の上端部に固定される固定基板３７と、支軸部ａの先端から連結軸部ｂを直角に突設すると共にその先端から係止軸部ｃを支軸部ａと平行に突設してなるロックピン３８とからなるもので、固定脚１４の柱材２８に固定した固定基板３７には、水平台枠２の端部を枢軸４４によって枢着し且つロックピン３８の支軸部ａをその軸芯回りに回転自在に挿着すると共に、この支軸部ａと固定基板３６との間に支軸部ａを基端側方向に付勢するコイルバネ４０を介装し、しかしてロックピン３８の係止軸部ｃを固定基板３６と水平台枠２の水平縦杆２ａとにわたって設けた脚体固定用ピン孔４１，４２に差し込むことにより、図３の(a) の右側に示すように手摺り側脚体４を水平台枠２に対して直角に固定することができる。
【００３０】
またロックピン３８の支軸部ａを引張して、その係止軸部ｃを脚体固定用ピン孔４１，４２から引き抜くことにより、手摺り側脚体４が水平台枠２に対し折り畳み可能となり、しかして図３の(a) の右側に示す状態から手摺り側脚体４を図中の矢印で示すような反時計回り方向に旋回させることにより、手摺り側脚体４を水平台枠２の下面側に折り畳むことができる。そして、この状態でロックピン３８の係止軸部ｃを水平台枠２の水平縦杆２ａに設けた折り畳み固定用ピン孔４５に差し込むことにより、図３の(b) の右側に示すように手摺り側脚体４を水平台枠２に対し折り畳んだ状態で固定することができる。
【００３１】
図４の(a) 〜(f) は上記のように構成される仮設置架台１をその使用時の状態から順次折り畳んでゆく過程を示す。先ず図４の(a) は、ベランダ床側脚体３及び手摺り側脚体４を水平台枠２に対し夫々直角に固定すると共に、ベランダ床側脚体３の伸縮脚１２を所定長さ伸張させ、また手摺り側脚体４の伸縮脚１５を所定長さ伸張させて、使用時の状態としたものであり、同図の(b) は(a) の状態からベランダ床側脚体３の伸縮脚１２を固定脚１１内に収納すると共に、手摺り側脚体４の伸縮脚１５を固定脚１４内に収納した状態を示す。そして(c) は、連結金具７のロックピン３８（図６参照）をロック解除操作して、収縮状態の手摺り側脚体４を水平台枠２の下面側に折り畳んだ状態を示し、(d) は、(c) の状態から連結金具６のロックピン３８をロック解除操作して、収縮状態のベランダ床側脚体３を水平台枠２の上面側に折り畳み、従ってベランダ床側脚体３及び手摺り側脚体４を水平台枠２の上下両面側に重ね合わせたコンパクトな折り畳み状態の仮設置架台１を示す。
【００３２】
この仮設置架台１は、上記のようにコンパクトに折り畳むことができるため、マンションの大規模修繕工事を行う際には、図４の(d) に示すような状態に折り畳むことにより、各戸のベランダへの搬入が容易となる。
【００３３】
しかして、ベランダ内での躯体の外壁工事にあたり、建物外壁Ｄに取り付けられたエアコン室外機Ｏを取り外す際には、折り畳み状態でベランダ内に搬入した仮設置架台１を図４の(a) に示すような状態に展開する。即ち、ベランダ床側脚体３及び手摺り側脚体４を水平台枠２に対し夫々直角に固定すると共に、ベランダ床側脚体３の伸縮脚１２を所要長さ伸張させ、また手摺り側脚体４の伸縮脚１５を所要長さ伸張させ、そして手摺り側脚体４の下端に設けてある掴み固定金具５を手摺りＣの頂部Ｃｏに固定させることによって、仮設置架台１を図１の(a) に示すようなベランダの所定位置に安定状態に設置する。この時、水平台枠２の高さは、図１の(a) に示すように、既設の室外機設置台Ｅの高さと同じにする。
【００３４】
上記のように仮設置架台１をベランダの所定位置に設置した状態で、既設の設置台Ｅから取り外したエアコン室外機Ｏを図１の(a) ，(b) の仮想線図示のように仮設置架台１の水平台枠２上に移載して、固定用のバンド（図示省略）で水平台枠２に縛りつけた状態で固定する。この際、バンドは、仮設置架台１に載置した室外機Ｏに対しタスキ掛けにし、図１の(a) ，(b) に示すように水平台枠２の前後左右４箇所に取り付けてある室外機固定バンド取付用金具４６を利用して、これに挿通したり、結び付けることによって、水平台枠２上の所要箇所での室外機Ｏの固定作業を容易に行うことができる。図４の(e) は図１の(b) の矢印Ｖで示す部分の拡大図、(f) は(e) のＷ−Ｗ線断面図で、室外機固定バンド取付用金具４６を示す。この金具４６は、図１の(a) ，(b) に示すように、水平台枠２を形成する各水平縦杆２ａの外側面中央部と、各横杆２ｂの外側面中央部にそれぞれ取り付けられている。
【００３５】
ベランダ内での外壁工事等が終了し、仮設置架台１に設置したエアコン室外機Ｏを元の既設の設置台Ｅに設置した後、仮設置架台１を同じベランダ内に移動させる時は、手摺り側脚体４側の掴み固定金具５を手摺り頂部Ｃｏから外して、仮設置架台１を適宜移動させた後、掴み固定金具５を他の手摺り頂部Ｃｏに付け替えすればよい。また、仮設置架台１の使用を終えて、他のベランダあるいは別の場所へ移動するような場合、更には倉庫等に保管するような場合は、仮設置架台１を図４の(d) に示す状態に折り畳むことによって、この仮設置架台１の移動、搬送、保管、梱包が非常に容易となる。
【００３６】
図７は本発明の他の実施形態を示し、(a) は延長台枠を取り付けたエアコン室外機の仮設置架台を示す正面図、(b) は平面図であり、図８は図７の(b) の矢印Ｙで示す部分の拡大図であり、図９の(a) は延長台枠の取付方法を示す正面図、(b) は側面図、(c) は図８のＺ−Ｚ線拡大断面図である。また図１０には延長台枠及び水平台枠を示す。これらの図において、５０は延長台枠で、この延長台枠５０は、例えばベランダ床の奥行き幅が広くて、図１及び図２に示される水平台枠２では、建物外壁Ｄに設置された既設の室外機設置台Ｅまで離れ過ぎるような場合に、水平台枠２の端部に水平台枠２と面一状に着脱可能に取り付けられるものである。
【００３７】
延長台枠５０は、図１０の(a) 〜(c) に示すように、夫々角パイプ製の一対の縦枠５０ａ，５０ａと両縦枠５０ａ，５０ａの端部どうしをつなぐ横枠５０ｂとで平面視コ字枠状に形成すると共に、両縦枠５０ａ，５０ａ間に中枠５０ｃを介装したもので、各縦枠５０ａの先端部には、水平に位置する縦枠５０ａの下半部に嵌合されてボルト・ナット５６で固定される上向きコ字状の嵌合部５１と、このコ字状嵌合部５１の外端部から縦枠５０ａの上面に沿って外側方へ水平に延びる水平支持部５２と、この水平支持部５２の先端から下向きに突出する突片５３とからなるフック部材５４が設けられ、このフック部材５４には、嵌合部５１の底部から水平に突出する接合部片５５が一体に突設され、この接合部片５５にはボルト挿通孔（図示せず）が設けてあって、この接合部片５５の下面側にナット５７が前記ボルト挿通孔と同心状に固着され、このナット５７に下方より蝶ボルト５８をねじ込んで仮止めしている。尚、図１０の(a) は延長台枠５０の平面図、(b) は正面図、(c) は側面図であり、(d) は延長台枠５０が取り付けられる水平台枠２を下方より見た底面図で、図１の(a) のＱ−Ｑ線に沿って断面したような図面である。
【００３８】
図１０の(d) に示す水平台枠２は、図１の(b) に示される水平台枠２と同様に、夫々角パイプ製の一対の水平縦杆２ａ，２ａと両水平縦杆２ａ，２ａの両端部側をつなぐを横杆２ｂ，２ｂとによって矩形枠状に枠組み形成されたもので、延長台枠５０が取り付けられる端部側の横杆２ｂには下面側の両端部側所定位置に孔（図示せず）があけられて、その孔にナット４９が埋め込まれた状態で固着されている。
【００３９】
上記のように構成される延長台枠５０を水平台枠２に取り付けるには、延長台枠５０を図９の(a) の仮想線図示のように水平台枠２よりも高い位置からその取付側端部に近づけて、両フック部材５４，５４の水平支持部５２，５２を、水平台枠２の両水平縦杆２ａ，２ａの端部に上側から被せるようにすると共に、図９の(a) の実線図示のように接合部片５５，５５を水平台枠２の横杆２ｂの下側面に当接させ、この状態で接合部片５５，５５のナット５７，５７に仮止めされている蝶ボルト５８，５８を、横杆２ｂの下側面両端部に埋め込んであるナット４９，４９にねじ込むことによって、両フック部材５４，５４の水平支持部５２，５２と接合部片５５，５５とで水平台枠２の水平縦杆２ａ，２ａ及び横杆２ｂを上下方向から挟み付けた状態で延長台枠５０を水平台枠２の端部に取り付けることができる。
【００４０】
この延長台枠５０の取り付けにあたって、ベランダ床側脚体３をベランダ床Ａに支持させると共に手摺り側脚体４を固定金具５で手摺りＣに支持固定して水平台枠２を水平に保持した状態で、この水平台枠２の端部に延長台枠５０を取り付けるようにしてもよいし、ベランダ床側脚体３及び手摺り側脚体４を水平台枠２に対し折り畳んだ状態で、その水平台枠２の端部に延長台枠５０を取り付けることもできる。
【００４１】
尚、この延長台枠５０を水平台枠２に取り付けたままでは、ベランダ床側脚体３及び手摺り側脚体４を水平台枠２に対して折り畳むことができないから、その場合は、延長台枠５０を水平台枠２から一旦外した後、図８の仮想線図示のように、延長台枠５０を当初の取付状態から水平回りに１８０°回転させて水平台枠２の両横杆２ｂ，２ｂ間に収納した状態で、両フック部材５４，５４の水平支持部５２，５２を、水平台枠２の両水平縦杆２ａ，２ａに被せると共に、接合部片５５，５５を水平台枠２の横杆２ｂの下側面に当接させて、蝶ボルト５８を横杆２ｂのナット４９にねじ込んで固定した後、折り畳むようにする。
【００４２】
図７の(a) ，(b) は、上記のようにして水平台枠２の端部に延長台枠５０を取り付けたエアコン室外機仮設置架台１の使用状態を示しているが、この図から分かるように、ベランダ床の奥行き幅が広く、既設の室外機設置台Ｅまで離れ過ぎるような場合であっても、延長台枠５０を取り付けることによって、この延長台枠５０を既設の室外機設置台Ｅに近接させることができ、これにより、既設室外機設置台Ｅから室外機仮設置架台１へ、また室外機仮設置架台１から既設室外機設置台Ｅへのエアコン室外機Ｏの移載作業を容易且つ安全に行うことができる。
【００４３】
尚、図７〜図１０に示す水平台枠２及び延長台枠５０には図示を省略しているが、これら水平台枠２及び延長台枠５０にも、図１の(a) ，(b) に示したような室外機固定バンド取付用金具４６が所要位置に取り付けられるものとする。
【符号の説明】
【００４４】
１            仮設置架台
２            水平台枠
３            ベランダ床側脚体
４            手摺り側脚体
５            掴み固定金具
６，７        連結金具
５０          延長台枠
【図１】
2010175112.tif 000003
【図２】
2010175112.tif 000004
【図３】
2010175112.tif 000005
【図４】
2010175112.tif 000006
【図５】
2010175112.tif 000007
【図６】
2010175112.tif 000008
【図７】
2010175112.tif 000009
【図８】
2010175112.tif 000010
【図９】
2010175112.tif 000011
【図１０】
2010175112.tif 000012